【手続補正書】
【提出日】平成20年6月2日(2008.6.2)
【手続補正１】
【補正対象書類名】特許請求の範囲
【補正対象項目名】全文
【補正方法】変更
【補正の内容】
【特許請求の範囲】
【請求項１】
画像から顔領域を検出して人物照合を行う画像処理装置であって、
前記人物照合を行う対象画像に関連付けされた縮小画像が少なくとも１つ存在するかを判定する判定手段と、
前記判定手段による判定の結果検出された縮小画像に基づいて顔領域の検出を行う検出手段と、
前記検出手段により検出された顔領域を用いて人物照合を行う照合手段とを備えることを特徴とする画像処理装置。
【請求項２】
前記判定手段により検出された縮小画像から、前記顔領域の検出に用いるための縮小画像を選択する画像選択手段を更に具備することを特徴とする請求項１に記載の画像処理装置。
【請求項３】
前記対象画像は符号化され所定のフォーマットで記憶手段に記憶されたデジタル画像データであり、縮小画像は対象画像の内部に存在することを特徴とする請求項１または２に記載の画像処理装置。
【請求項４】
前記対象画像は符号化され所定のフォーマットで記憶手段に記憶されたデジタル画像データであり、縮小画像は対象画像の外部に存在することを特徴とする請求項１ないし３のいずれか１項に記載の画像処理装置。
【請求項５】
前記判定手段により縮小画像が存在しないと判定された場合に、対象画像から縮小画像を作成する縮小画像作成手段を更に具備することを特徴とする請求項１ないし４のいずれか１項に記載の画像処理装置。
【請求項６】
前記判定手段により縮小画像が存在しないと判定された場合に、縮小画像を作成する代わりに対象画像そのものを用いることを特徴とする請求項１ないし４のいずれか１項に記載の画像処理装置。
【請求項７】
前記画像選択手段は、縮小画像の存在場所、画像サイズ、画質のうちの少なくとも１つに基づいて縮小画像を選択することを特徴とする請求項２ないし６のいずれか１項に記載の画像処理装置。
【請求項８】
前記画像選択手段は、対象画像のデータ内部に存在する縮小画像を優先的に選択することを特徴とする請求項７に記載の画像処理装置。
【請求項９】
前記検出手段は、縮小画像が前記画像選択手段により選択されたものか前記縮小画像作成手段により作成されたものかによって、処理の切り替えが可能であることを特徴とする請求項５または６に記載の画像処理装置。
【請求項１０】
前記照合手段により得られた照合結果を表示部に表示する表示手段と、
前記照合結果を対象画像に対応付けする手段とを更に備え、
前記対応付けする手段は、縮小画像から検出された顔領域を、その座標情報を用いて対象画像内の領域に対応付けすることを特徴とする請求項１に記載の画像処理装置。
【請求項１１】
画像から顔領域を検出して人物照合処理を行う画像処理装置であって、
前記人物照合を行う対象画像に関連付けされた第一縮小画像が少なくとも１つ存在するかを判定する第一判定手段と、
前記第一判定手段による判定の結果検出された第一縮小画像に対して顔領域の検出を行う一次検出手段と、
前記一次検出手段によって顔領域が検出された場合に、第一縮小画像よりも画像サイズの大きい第二縮小画像または対象画像そのものに対して顔領域の検出を行う二次検出手段と、
前記二次検出手段により検出された顔領域を用いて人物照合を行う照合手段とを備えることを特徴とする画像処理装置。
【請求項１２】
前記一次検出手段によって顔領域が検出されなかった場合に、第一縮小画像の画像サイズが所定サイズより大きいかどうかを判定する画像サイズ判定手段と、
前記画像サイズ判定手段によって第一縮小画像が所定サイズより小さいと判定された場合に、当該所定サイズの縮小画像を作成する縮小画像作成手段とを更に備え、
前記一次検出手段は、前記縮小画像作成手段によって作成された縮小画像に対して顔領域の検出を行い、
前記二次検出手段は、前記一次検出手段によって顔領域が検出された場合に、第一縮小画像よりも画像サイズの大きい第二縮小画像または対象画像そのものに対して顔領域の検出を行うことを特徴とする請求項１１に記載の画像処理装置。
【請求項１３】
前記第一判定手段により検出された複数の第一縮小画像から、前記一次検出手段による顔領域の検出に用いる縮小画像を選択する一次検出画像選択手段を更に具備することを特徴とする請求項１１または１２に記載の画像処理装置。
【請求項１４】
前記第二縮小画像は、対象画像のサイズ以下の画像サイズを持つ画像であることを特徴とする請求項１１ないし１３のいずれか１項に記載の画像処理装置。
【請求項１５】
前記第一判定手段により複数の第一縮小画像が検出された場合、そのうちの１つを前記第二縮小画像とすることを特徴とする請求項１１ないし１４のいずれか１項に記載の画像処理装置。
【請求項１６】
前記対象画像は符号化され所定のフォーマットで記憶手段に記憶されたデジタル画像データであり、前記第一縮小画像および前記第二縮小画像は対象画像の内部に存在することを特徴とする請求項１１ないし１５のいずれか１項に記載の画像処理装置。
【請求項１７】
前記対象画像は符号化され所定のフォーマットで記憶手段に記憶されたデジタル画像データであり、前記第一縮小画像および前記第二縮小画像は対象画像の外部に存在することを特徴とする請求項１１ないし１６のいずれか１項に記載の画像処理装置。
【請求項１８】
前記一次検出画像選択手段は、対象画像のデータ内部に存在する縮小画像を優先的に選択することを特徴とする請求項１３ないし１７のいずれか１項に記載の画像処理装置。
【請求項１９】
前記一次検出画像選択手段は、画像サイズが大きいものを優先的に選択することを特徴とする請求項１３ないし１７のいずれか１項に記載の画像処理装置。
【請求項２０】
前記一次検出手段および前記二次検出手段は、縮小画像の画像サイズによって検出精度を変更可能であることを特徴とする請求項１３ないし１９のいずれか１項に記載の画像処理装置。
【請求項２１】
前記照合手段により得られた照合結果を表示部に表示する表示手段と、
前記照合結果を対象画像に対応付けする手段とを更に備え、
前記対応付けする手段は、前記二次検出手段にて検出された顔領域を、その座標情報を用いて対象画像内の領域に対応付けすることを特徴とする請求項１３ないし２０のいずれか１項に記載の画像処理装置。
【請求項２２】
画像から顔領域を検出して人物照合を行う画像処理方法において、
前記人物照合を行う対象画像に関連付けされた縮小画像が少なくとも１つ存在するかを判定する判定工程と、
前記判定工程による判定の結果検出された縮小画像に基づいて顔領域の検出を行う検出工程と、
前記検出工程により検出された顔領域を用いて人物照合を行う照合工程とを備えることを特徴とする画像処理方法。
【請求項２３】
画像から顔領域を検出して人物照合処理を行う画像処理方法において、
前記人物照合を行う対象画像に関連付けされた第一縮小画像が少なくとも１つ存在するかを判定する第一判定工程と、
前記第一判定工程による判定の結果検出された第一縮小画像に対して顔領域の検出を行う一次検出工程と、
前記一次検出工程によって顔領域が検出された場合に、第一縮小画像よりも画像サイズの大きい第二縮小画像または対象画像そのものに対して顔領域の検出を行う二次検出工程と、
前記二次検出工程により検出された顔領域を用いて人物照合を行う照合工程とを備えることを特徴とする画像処理方法。
【請求項２４】
画像から顔領域を検出して人物照合を行う画像処理装置のコンピュータを、
前記人物照合を行う対象画像に関連付けされた縮小画像が少なくとも１つ存在するかを判定する判定手段と、
前記判定手段による判定の結果検出された縮小画像に基づいて顔領域の検出を行う検出手段と、
前記検出手段により検出された顔領域を用いて人物照合を行う照合手段として機能させるためのプログラム。
【請求項２５】
画像から顔領域を検出して人物照合処理を行う画像処理装置のコンピュータを、
前記人物照合を行う対象画像に関連付けされた第一縮小画像が少なくとも１つ存在するかを判定する第一判定手段と、
前記第一判定手段による判定の結果検出された第一縮小画像に対して顔領域の検出を行う一次検出手段と、
前記一次検出手段によって顔領域が検出された場合に、第一縮小画像よりも画像サイズの大きい第二縮小画像または対象画像そのものに対して顔領域の検出を行う二次検出手段と、
前記二次検出手段により検出された顔領域を用いて人物照合を行う照合手段として機能させるためのプログラム。
【請求項２６】
画像から顔領域を検出して人物照合を行う画像処理装置のコンピュータを、
前記人物照合を行う対象画像に関連付けされた縮小画像が少なくとも１つ存在するかを判定する判定手段と、
前記判定手段による判定の結果検出された縮小画像に基づいて顔領域の検出を行う検出手段と、
前記検出手段により検出された顔領域を用いて人物照合を行う照合手段として機能させるためのプログラムを記録したコンピュータ読み取り可能な記録媒体。
【請求項２７】
画像から顔領域を検出して人物照合処理を行う画像処理装置のコンピュータを、
前記人物照合を行う対象画像に関連付けされた第一縮小画像が少なくとも１つ存在するかを判定する第一判定手段と、
前記第一判定手段による判定の結果検出された第一縮小画像に対して顔領域の検出を行う一次検出手段と、
前記一次検出手段によって顔領域が検出された場合に、第一縮小画像よりも画像サイズの大きい第二縮小画像または対象画像そのものに対して顔領域の検出を行う二次検出手段と、
前記二次検出手段により検出された顔領域を用いて人物照合を行う照合手段として機能させるためのプログラムを記録したコンピュータ読み取り可能な記録媒体。
【手続補正２】
【補正対象書類名】明細書
【補正対象項目名】００１１
【補正方法】変更
【補正の内容】
【００１１】
上述の課題を解決し、目的を達成するために、本発明の画像処理装置は、画像から顔領域を検出して人物照合を行う画像処理装置であって、前記人物照合を行う対象画像に関連付けされた縮小画像が少なくとも１つ存在するかを判定する判定手段と、前記判定手段による判定の結果検出された縮小画像に基づいて顔領域の検出を行う検出手段と、前記検出手段により検出された顔領域を用いて人物照合を行う照合手段とを備える。
また、本発明の画像処理装置は、画像から顔領域を検出して人物照合処理を行う画像処理装置であって、前記人物照合を行う対象画像に関連付けされた第一縮小画像が少なくとも１つ存在するかを判定する第一判定手段と、前記第一判定手段による判定の結果検出された第一縮小画像に対して顔領域の検出を行う一次検出手段と、前記一次検出手段によって顔領域が検出された場合に、第一縮小画像よりも画像サイズの大きい第二縮小画像または対象画像そのものに対して顔領域の検出を行う二次検出手段と、前記二次検出手段により検出された顔領域を用いて人物照合を行う照合手段とを備える。
【手続補正３】
【補正対象書類名】明細書
【補正対象項目名】００１２
【補正方法】変更
【補正の内容】
【００１２】
また、本発明の画像処理方法は、画像から顔領域を検出して人物照合を行う画像処理方法において、前記人物照合を行う対象画像に関連付けされた縮小画像が少なくとも１つ存在するかを判定する判定工程と、前記判定工程による判定の結果検出された縮小画像に基づいて顔領域の検出を行う検出工程と、前記検出工程により検出された顔領域を用いて人物照合を行う照合工程とを備える。
また、本発明の画像処理方法は、画像から顔領域を検出して人物照合処理を行う画像処理方法において、前記人物照合を行う対象画像に関連付けされた第一縮小画像が少なくとも１つ存在するかを判定する第一判定工程と、前記第一判定工程による判定の結果検出された第一縮小画像に対して顔領域の検出を行う一次検出工程と、前記一次検出工程によって顔領域が検出された場合に、第一縮小画像よりも画像サイズの大きい第二縮小画像または対象画像そのものに対して顔領域の検出を行う二次検出工程と、前記二次検出工程により検出された顔領域を用いて人物照合を行う照合工程とを備える。